(57)【要約】【課題】所望の画像部分を速やかにかつ適確に表示する。【解決手段】画像から各矩形領域を抽出し、表示部１５の画面１５ａに収まり切らない矩形領域については、画面１５ａに収まる複数の小矩形領域に分割し、画面１５ａに収まる各矩形領域及び各小矩形領域別に、矩形領域の重心点を画面遷移点として設定し、各矩形領域及び各小矩形領域の遷移順序を設定して、各矩形領域及び各小矩形領域をそれらの遷移順序で選択し、この選択した矩形領域又は小矩形領域の画面遷移点を画面１５ａ中心の基準点Ｐに重ねあわせて、この選択した矩形領域又は小矩形領域を画面１５ａに表示している。このため、各矩形領域及び各小矩形領域のいずれについても、全体を画面１５ａ上で容易に認識することができ、またスクロール操作を行なわなくても、画面１５ａ上の矩形領域又は小矩形領域を速やかに変更することができる。【選択図】図１
2004233435.tif 000002
【特許請求の範囲】
【請求項１】
画像を記憶する記憶手段と、
画像を表示する表示手段と、
記憶手段内の画像に含まれる矩形領域を抽出し、矩形領域の画面遷移点を表示手段の画面の基準点に重ね合わせたときに、表示手段の画面に対する矩形領域の位置が定まる様な該矩形領域の画面遷移点を設定する演算手段と、
矩形領域の画面遷移点を表示手段の画面の基準点に重ね合わせて、矩形領域を表示手段の画面に表示する表示制御手段と
を備えることを特徴とする画像表示装置。
【請求項２】
演算手段は、矩形領域の重心点を解析して求め、矩形領域の重心点を該矩形領域の画面遷移点として設定することを特徴とする請求項１に記載の画像表示装置。
【請求項３】
演算手段は、矩形領域が表示手段の画面よりも大きかった場合に、矩形領域を複数の小矩形領域に分割し、各小矩形領域別に、小矩形領域の画面遷移点を求めることを特徴とする請求項１に記載の画像表示装置。
【請求項４】
演算手段は、矩形領域が表示手段の画面よりも大きかった場合に、矩形領域を縮小してから、矩形領域の画面遷移点を求めることを特徴とする請求項１に記載の画像表示装置。
【請求項５】
演算手段は、矩形領域の左上角を解析して求め、矩形領域の画面遷移点を表示手段の画面の基準点に重ね合わせたときに、矩形領域の左上角もしくは左上角近傍が表示手段の画面の左上角に重なり合う様な該矩形領域の画面遷移点を求めることを特徴とする請求項１に記載の画像表示装置。
【請求項６】
演算手段は、矩形領域の右上角を解析して求め、矩形領域の画面遷移点を表示手段の画面の基準点に重ね合わせたときに、矩形領域の右上角もしくは右上角近傍が表示手段の画面の右上角に重なり合う様な該矩形領域の画面遷移点を求めることを特徴とする請求項１に記載の画像表示装置。
【請求項７】
演算手段は、矩形領域の左下角を解析して求め、矩形領域の画面遷移点を表示手段の画面の基準点に重ね合わせたときに、矩形領域の左下角もしくは左下角近傍が表示手段の画面の左下角に重なり合う様な該矩形領域の画面遷移点を求めることを特徴とする請求項１に記載の画像表示装置。
【請求項８】
演算手段は、矩形領域の右下角を解析して求め、矩形領域の画面遷移点を表示手段の画面の基準点に重ね合わせたときに、矩形領域の右下角もしくは右下角近傍が表示手段の画面の右下角に重なり合う様な該矩形領域の画面遷移点を求めることを特徴とする請求項１に記載の画像表示装置。
【請求項９】
矩形領域の角が画面の角内側に複数ドット離間する様な該矩形領域の画面遷移点を求めることを特徴とする請求項５乃至８のいずれかに記載の画像表示装置。
【請求項１０】
演算手段は、画像に含まれる文書領域を矩形領域として認識することを特徴とする請求項１に記載の画像表示装置。
【請求項１１】
演算手段は、記憶手段内の画像に含まれる複数の矩形領域を抽出して、各矩形領域別に、矩形領域の画面遷移点を求め、各矩形領域の遷移順序を設定することを特徴とする請求項１に記載の画像表示装置。
【請求項１２】
演算手段は、画像に含まれる複数の矩形領域が文書領域及び画像領域のいずれであるかに応じて、各矩形領域の遷移順序を変更することを特徴とする請求項１１に記載の画像表示装置。
【請求項１３】
画像をネットワークを通じて受信する受信手段を備え、
受信手段により受信した画像を記憶手段に記憶することを特徴とする請求項１に記載の画像表示装置。
【発明の詳細な説明】
【０００１】
【発明の属する技術分野】
本発明は、例えば情報端末や携帯電話機等に適用される画像表示装置に関する。
【０００２】
【従来の技術】
この種の画像表示装置においては、画面のサイズが小さいことから、画像全体を画面に表示し切れないことがある。この場合は、スクロール操作により画像を画面上で移動表示することが多い。
【０００３】
また、特許文献１には、複数の状態ブロック、及び各状態ブロックを結ぶ複数の有向枝等からなる状態遷移図を画面に表示する上で、全ての状態ブロックを示す全体図を規則的な長さの複数の部分図に分割し、全体図においていずれかの部分図を選択的に指示するか、有向枝を通じて部分図を指示することにより、所望の部分図を画面に表示するという技術が開示されている。
【０００４】
【特許文献１】
特開平３−８０８５号公報
【０００５】
【発明が解決しようとする課題】
しかしながら、スクロール操作により画像を画面上で移動表示する場合は、スクロール操作に伴う画像処理量が多く、所望の画像部分を画面に表示するまでに時間を要した。
【０００６】
また、特許文献１の様に規則的な長さの各部分図のいずれかを表示する場合は、所望の部分図を表示するまでの時間を短縮化することができるものの、規則的な長さの部分図と所望の画像部分が一致するとは限らず、所望の画像部分が画面から大きく外れることもあった。例えば、所望のテキストが複数の部分図にまたがっている場合は、いずれの部分図が表示されても、このテキストが適確に表示されなかった。
【０００７】
そこで、本発明は、上記従来の問題点に鑑みてなされたものであり、所望の画像部分を速やかにかつ適確に表示することが可能な画像表示装置を提供することを目的とする。
【０００８】
【課題を解決するための手段】
上記課題を解決するために、本発明は、画像を記憶する記憶手段と、画像を表示する表示手段と、記憶手段内の画像に含まれる矩形領域を抽出し、矩形領域の画面遷移点を表示手段の画面の基準点に重ね合わせたときに、表示手段の画面に対する矩形領域の位置が定まる様な該矩形領域の画面遷移点を設定する演算手段と、矩形領域の画面遷移点を表示手段の画面の基準点に重ね合わせて、矩形領域を表示手段の画面に表示する表示制御手段とを備えている。
【０００９】
この様な構成の本発明によれば、画像に含まれる矩形領域を抽出して、矩形領域の画面遷移点を設定している。この矩形領域の画面遷移点は、該画面遷移点と表示手段の画面の基準点を重ね合わせたときに、表示手段の画面に対する矩形領域の位置が定まる様に設定される。従って、矩形領域の画面遷移点を適宜に設定すれば、矩形領域の画面遷移点を表示手段の画面の基準点に重ね合わせたときに、矩形領域が表示手段の画面に適確に表示される。また、スクロール操作を必要とせず、矩形領域を速やかに表示することができる。
【００１０】
また、本発明においては、演算手段は、矩形領域の重心点を解析して求め、矩形領域の重心点を該矩形領域の画面遷移点として設定している。
【００１１】
矩形領域の重心点は、矩形領域の中心である。このため、矩形領域の重心点を矩形領域の画面遷移点として設定し、矩形領域の画面遷移点と表示手段の画面の基準点を重ね合わせれば、矩形領域の中心が表示手段の画面の基準点に置かれることとなる。
【００１２】
更に、本発明においては、演算手段は、矩形領域が表示手段の画面よりも大きかった場合に、矩形領域を複数の小矩形領域に分割し、各小矩形領域別に、小矩形領域の画面遷移点を求めている。
【００１３】
これにより、小矩形領域の全体を表示手段の画面に表示することが可能になる。
【００１４】
また、本発明においては、演算手段は、矩形領域が表示手段の画面よりも大きかった場合に、矩形領域を縮小してから、矩形領域の画面遷移点を求めている。
【００１５】
これにより、矩形領域の全体を表示手段の画面に表示することが可能になる。
【００１６】
更に、本発明においては、演算手段は、矩形領域の左上角を解析して求め、矩形領域の画面遷移点を表示手段の画面の基準点に重ね合わせたときに、矩形領域の左上角もしくは左上角近傍が表示手段の画面の左上角に重なり合う様な該矩形領域の画面遷移点を求めている。
【００１７】
この場合は、矩形領域の左上角もしくは左上角近傍が表示手段の画面の左上角に重なり合って、矩形領域が表示手段の画面に表示される。
【００１８】
また、本発明においては、演算手段は、矩形領域の右上角を解析して求め、矩形領域の画面遷移点を表示手段の画面の基準点に重ね合わせたときに、矩形領域の右上角もしくは右上角近傍が表示手段の画面の右上角に重なり合う様な該矩形領域の画面遷移点を求めている。
【００１９】
この場合は、矩形領域の右上角もしくは右上角近傍が表示手段の画面の右上角に重なり合って、矩形領域が表示手段の画面に表示される。
【００２０】
更に、本発明においては、演算手段は、矩形領域の左下角を解析して求め、矩形領域の画面遷移点を表示手段の画面の基準点に重ね合わせたときに、矩形領域の左下角もしくは左下角近傍が表示手段の画面の左下角に重なり合う様な該矩形領域の画面遷移点を求めている。
【００２１】
この場合は、矩形領域の左下角もしくは左下角近傍が表示手段の画面の左下角に重なり合って、矩形領域が表示手段の画面に表示される。
【００２２】
また、本発明においては、演算手段は、矩形領域の右下角を解析して求め、矩形領域の画面遷移点を表示手段の画面の基準点に重ね合わせたときに、矩形領域の右下角もしくは右下角近傍が表示手段の画面の右下角に重なり合う様な該矩形領域の画面遷移点を求めている。
【００２３】
この場合は、矩形領域の右下角もしくは右下角近傍が表示手段の画面の右下角に重なり合って、矩形領域が表示手段の画面に表示される。
【００２４】
更に、本発明においては、矩形領域の角が画面の角内側に複数ドット離間する様な該矩形領域の画面遷移点を求めている。
【００２５】
この場合は、矩形領域の角が画面の角内側に複数ドット離間して、矩形領域が表示手段の画面に表示される。これにより、画面の角近傍での矩形領域の視認性が向上する。
【００２６】
また、本発明においては、演算手段は、画像に含まれる文書領域を矩形領域として認識している。
【００２７】
この場合は、画像に含まれる文書領域が矩形領域として抽出される。
【００２８】
更に、本発明においては、演算手段は、記憶手段内の画像に含まれる複数の矩形領域を抽出して、各矩形領域別に、矩形領域の画面遷移点を求め、各矩形領域の遷移順序を設定している。
【００２９】
この場合は、各矩形領域の遷移順序で、該各矩形領域が表示手段の画面に順次適確に表示される。
【００３０】
また、本発明においては、演算手段は、画像に含まれる複数の矩形領域が文書領域及び画像領域のいずれであるかに応じて、各矩形領域の遷移順序を変更している。
【００３１】
ここでは、各文書領域を表示する適確な順序と各画像領域を表示する適確な順序が異なることを想定して、各矩形領域が文書領域及び画像領域のいずれであるかに応じて、各矩形領域の遷移順序を設定している。
【００３２】
更に、本発明においては、画像をネットワークを通じて受信する受信手段を備え、受信手段により受信した画像を記憶手段に記憶している。
【００３３】
この様に画像を外部からネットワークを通じて受信しても構わない。
【００３４】
【発明の実施の形態】
以下、本発明の実施形態を添付図面を参照して詳細に説明する。
【００３５】
図１は、本発明の画像表示装置の一実施形態を適用した情報端末を示すブロック図である。また、図２は、図１の情報端末の外観を示す平面図である。
【００３６】
この情報端末１０では、画像をネットワーク（図示せず）を通じてダウンロードする通信機能部１１と、ダウンロードした画像を記憶する記憶部１２と、画像を記憶部１２から読み出すデータ読出部１３と、読み出された画像を解析するデータ解析部１４と、画像を画面１５ａに表示する表示部１５と、上下左右の方向を指示するための方向キー１６ａやテンキー１６ｂ等からなるキー入力部１６と、入力部１６からの入力を検出するキー検出部１７と、この情報端末１０全体を制御する制御部１８とを備えている。
【００３７】
表示部１５の画面１５ａは、そのサイズが小さいことから、画像全体を一度に映し出すことができない。例えば、図３に示す様に１頁の画像２１が画面１５ａよりも大きいと、画像２１全体を画面１５ａに映し出すことができない。
【００３８】
このため、本実施形態の画像表示装置では、複数の矩形領域２２〜２５を画像２１から抽出し、画像２１の各矩形領域２２〜２５を表示部１５の画面１５ａに順次遷移させて表示している。
【００３９】
また、各矩形領域２２〜２５を画面１５ａに順次遷移させて表示するにしても、例えば図４に示す様に矩形領域２３が画面１５ａからずれていたのでは、矩形領域２３を認識することができず、スクロール操作を直ちに行なう必要が生じる。
【００４０】
そこで、本実施形態の画像表示装置では、画面１５ａに対する各矩形領域２２〜２５の位置を予め適宜に設定して、各矩形領域２２〜２５を画面１５ａ内に適確に表示している。
【００４１】
次に、図５のフローチャートに従って、本実施形態の画像表示装置による処理過程を説明する。
【００４２】
まず、制御部１８は、キー入力部１６の入力をキー検出部１７を通じて監視しており、キー入力部１６の入力操作により表示対象の画像が指示されているか否かを判定し（ステップＳ１）、表示対象の画像が指示されると（ステップＳ１で「Ｙｅｓ」）、表示対象の画像の読み出しをデータ読出部１３に指示する。これに応答してデータ読出部１３は、表示対象の画像を記憶部１２から読み出し、この画像をデータ解析部１４に与える（ステップＳ２）。このとき、表示対象の画像を記憶部１２から読み出すことができなければ、この処理を繰り返したり、エラーメッセージを表示部１５の画面１５ａに表示する。
【００４３】
データ解析部１４は、画像を受け取ると、この画像に含まれる矩形領域の全てを抽出する（ステップＳ３）。画像からの矩形領域としては、文書を記した領域、表を記した領域、図形や写真等を記した領域があり、これらの領域を識別して抽出する方法としては、周知の各種の方法がある。
【００４４】
ステップＳ３の処理を繰り返しても、画像に含まれる矩形領域の全てを抽出することができなければ（ステップＳ４で「Ｎｏ」）、エラーメッセージを表示部１５の画面１５ａに表示する。
【００４５】
また、画像に含まれる矩形領域の全てを抽出することができれば（ステップＳ４で「Ｙｅｓ」）、データ解析部１４は、各矩形領域が表示部１５の画面１５ａに収まるか否かを判定する（ステップＳ５）。
【００４６】
例えば、図３に示す様な画像２１から各矩形領域２２〜２５を抽出した場合は、各矩形領域２２〜２５について、画面１５ａに収まるか否かを判定する。より具体的には、図６に示す様な矩形領域２３について、その縦幅及び横幅のいずれもが画面１５ａの縦幅及び横幅よりも短いことから、画面１５ａに収まると判定する。同様に、矩形領域２２についても、画面１５ａに収まると判定する。また、図７に示す様な矩形領域２４については、その縦幅及び横幅の少なくとも一方が画面１５ａの縦幅及び横幅よりも長いことから、画面１５ａに収まらないと判定する。同様に、矩形領域２５についても、画面１５ａに収まらないと判定する。
【００４７】
データ解析部１４は、少なくとも１つの矩形領域が画面１５ａに収まらないと判定すると（ステップＳ５で「Ｎｏ」）、この矩形領域を画面１５ａに収まる様な複数の小矩形領域に分割する（ステップＳ６）。具体的には、矩形領域の縦幅が画面１５ａの縦幅よりも長ければ、矩形領域を縦方向で複数の小矩形領域に分割して、各小矩形領域の縦幅を画面１５ａの縦幅よりも短くし、かつ矩形領域の横幅が画面１５ａの横幅よりも長ければ、矩形領域を横方向で複数の小矩形領域に分割して、各小矩形領域の横幅を画面１５ａの横幅よりも短くする。ただし、矩形領域の分割数を最小限度に止めて、小矩形領域が小さくなり過ぎることを防止する。
【００４８】
例えば、図７に示す様に矩形領域２４を横方向で２つの小矩形領域２４ａ，２４ｂに分割する。同様に、矩形領域２５を横方向及び縦方向で４つの小矩形領域２５ａ，２５ｂ，２５ｃ，２５ｄ（図８に示す）に分割する。
【００４９】
ステップＳ６の処理を繰り返しても、矩形領域及び小矩形領域画像の数が増えなければ、エラーメッセージを表示部１５の画面１５ａに表示したり、そのまま、ステップＳ７に移行する。
【００５０】
次に、データ解析部１４は、各矩形領域２２，２３及び各小矩形領域２４ａ，２４ｂ，２５ａ〜２５ｄが画面１５ａに収まると判定すると（ステップＳ５で「Ｙｅｓ」）、該各矩形領域及び該各小矩形領域別に、矩形領域の重心点を求め、この重心点を該矩形領域の画面遷移点として設定する（ステップＳ７）。矩形領域の重心点は、矩形領域の面積の中心であり、周知の方法によって求めることができる。
【００５１】
また、データ解析部１４は、画面１５ａ上での各矩形領域２２，２３及び各小矩形領域２４ａ，２４ｂ，２５ａ〜２５ｄの遷移順序、つまり該各矩形領域及び該各小矩形領域の表示順序を設定する（ステップＳ８）。このとき、データ解析部１４は、各矩形領域２２，２３及び各小矩形領域２４ａ，２４ｂ，２５ａ〜２５ｄが図形や写真等を記した領域であれば、該各矩形領域及び該各小矩形領域の遷移順序を図８の○数字で示す様に設定する。また、各矩形領域２２，２３及び各小矩形領域２４ａ，２４ｂ，２５ａ〜２５ｄが文書を記した領域であれば、該各矩形領域及び該各小矩形領域の遷移順序を図９の○数字で示す様に設定する。
【００５２】
こうして各矩形領域２２，２３及び各小矩形領域２４ａ，２４ｂ，２５ａ〜２５ｄの表示内容に応じて、該各矩形領域及び該各小矩形領域の遷移順序を設定しておけば、後で述べる様に該各矩形領域及び該各小矩形領域を遷移順序で表示したときに、該各矩形領域及び該各小矩形領域の表示内容の理解が容易になる。
【００５３】
尚、図形、写真、文書等が縦向き及び横向きのいずれであるかによって、各矩形領域及び各小矩形領域の表示順序を変更しても良い。
【００５４】
次に、制御部１８は、各矩形領域２２，２３及び各小矩形領域２４ａ，２４ｂ，２５ａ〜２５ｄ、該各矩形領域及び該各小矩形領域の画面遷移点、及び遷移順序をデータ解析部１４から受取り、１番目の遷移順序の矩形領域又は小矩形領域を選択して、この１番目の矩形領域又は小矩形領域の画面遷移点を表示部１５の画面１５ａ中心の基準点に重ね合わせて、この１番目の矩形領域又は小矩形領域を画面１５ａに表示する（ステップＳ９）。
【００５５】
例えば、矩形領域２３が１番目の遷移順序であれば、図６に示す様に矩形領域２３の重心点である画面遷移点２３Ｑを画面１５ａ中心の基準点Ｐに重ね合わせて、矩形領域２３を画面１５ａに表示する。このとき、矩形領域２３が画面１５ａに収まり、矩形領域２３の画面遷移点２３Ｑが画面１５ａ中心の基準点Ｐに一致することから、矩形領域２３全体が画面１５ａ内に適確に表示され、矩形領域２３の認識が容易になる。
【００５６】
この後、キー入力部１６の入力操作により次の遷移順序の矩形領域又は小矩形領域の表示が指示されると、制御部１８は、キー検出部１７を通じて、該指示を受け取り（ステップＳ１０で「方向キー」）、矩形領域２２が次の遷移順序であれば、矩形領域２２の画面遷移点（重心点）を画面１５ａ中心の基準点Ｐに重ね合わせて、矩形領域２２を画面１５ａに表示する。
【００５７】
以降、キー入力部１６の入力操作により次の遷移順序又は１つ前の遷移順序が指示されると、この指示された遷移順序の矩形領域又は小矩形領域の画面遷移点（重心点）を画面１５ａ中心の基準点Ｐに重ね合わせて、該矩形領域又は該小矩形領域を画面１５ａに表示する。図７には、小矩形領域２４ｂの重心点である画面遷移点２４ｂＱを画面１５ａ中心の基準点Ｐに重ね合わせて、小矩形領域２４ｂを画面１５ａに表示した状態を示している。
【００５８】
尚、矩形領域又は小矩形領域が画面１５ａに表示された後で、スクロール操作により矩形領域又は小矩形領域を画面１５ａ上で移動させることも可能である。
【００５９】
また、キー入力部１６の入力操作により画像表示の終了が指示されると（ステップＳ１０で「終了キー」）、図５のフローチャートの処理を終了する。
【００６０】
この様に本実施形態の画像表示装置では、画像から各矩形領域を抽出し、表示部１５の画面１５ａに収まり切らない矩形領域については、画面１５ａに収まる複数の小矩形領域に分割し、画面１５ａに収まる各矩形領域及び各小矩形領域別に、矩形領域の重心点を画面遷移点として設定し、各矩形領域及び各小矩形領域の遷移順序を設定して、各矩形領域及び各小矩形領域をそれらの遷移順序で選択し、この選択した矩形領域又は小矩形領域の画面遷移点を画面１５ａ中心の基準点Ｐに重ねあわせて、この選択した矩形領域又は小矩形領域を画面１５ａに表示している。このため、各矩形領域及び各小矩形領域のいずれについても、全体を画面１５ａ上で容易に認識することができる。また、スクロール操作を行なわなくても、画面１５ａ上の矩形領域又は小矩形領域を速やかに変更することができ、画像処理量も少なくて済む。
【００６１】
ところで、本実施形態では、画面１５ａに収まり切らない矩形領域を複数の小矩形領域に分割しているが、この代わりに、該矩形領域を縮小して画面１５ａに収めても構わない。例えば、図１０に示す様に矩形領域２４を縮小し、縮小した矩形領域２４の画面遷移点２４Ｑを画面１５ａ中心の基準点Ｐに重ね合わせて、縮小した矩形領域２４全体を画面１５ａに表示する。
【００６２】
また、矩形領域又は小矩形領域の重心点を画面遷移点として設定する代わりに、他の方法により画面遷移点を設定しても良い。
【００６３】
例えば、図１１に示す様に矩形領域２５の左上角２５ａを解析して求め、矩形領域２５の画面遷移点２５Ｑを表示部１５の画面１５ａ中心の基準点Ｐに重ね合わせたときに、矩形領域２５の左上角２５ａが画面１５ａの左上角に略重なり合う様な該矩形領域２５の画面遷移点２５Ｑを求めても良い。同様に、図１２に示す様に矩形領域２５の右上角２５ｂを解析して求め、矩形領域２５の画面遷移点２５Ｑを画面１５ａ中心の基準点Ｐに重ね合わせたときに、矩形領域２５の右上角２５ｂが画面１５ａの右上角に略重なり合う様な該矩形領域２５の画面遷移点２５Ｑを求めても良い。また、図１３に示す様に矩形領域２５の左下角２５ｃを解析して求め、矩形領域２５の画面遷移点２５Ｑを画面１５ａ中心の基準点Ｐに重ね合わせたときに、矩形領域２５の左下角２５ｃが画面１５ａの左下角に略重なり合う様な該矩形領域２５の画面遷移点２５Ｑを求めても良い。更に、図１４に示す様に矩形領域２５の右下角２５ｄを解析して求め、矩形領域２５の画面遷移点２５Ｑを画面１５ａ中心の基準点Ｐに重ね合わせたときに、矩形領域２５の右下角２５ｄが画面１５ａの右下角に略重なり合う様な該矩形領域２５の画面遷移点２５Ｑを求めても良い。
【００６４】
また、矩形領域の角を画面１５ａの角に略重ね合わせる場合は、例えば図１５に示す様に矩形領域２５の角２５ａを画面１５ａの角内側に複数ドット離間させた状態で、矩形領域２５の画面遷移点２５Ｑを設定しても良い。特に、図１６に示す様に文書が矩形領域２５に記されている場合は、矩形領域２５の角２５ａが画面１５ａの角内側に複数ドット離間すると、矩形領域２５の角２５ａ近傍の文字の視認性が向上する。
【００６５】
尚、本発明は、上記実施形態に限定されるものではなく、多様に変形することができる。例えば、画面遷移点を設定するための各方法を選択的に用いても良い。また、各矩形領域を遷移順序で選択して表示する代わりに、方向キーにより指示された方向の矩形領域を選択して表示しても構わない。
【００６６】
【発明の効果】
以上説明した様に本発明によれば、画像に含まれる矩形領域を抽出して、矩形領域の画面遷移点を設定している。この矩形領域の画面遷移点は、該画面遷移点と表示手段の画面の基準点を重ね合わせたときに、表示手段の画面に対する矩形領域の位置が定まる様に設定される。従って、矩形領域の画面遷移点を適宜に設定すれば、矩形領域の画面遷移点を表示手段の画面の基準点に重ね合わせたときに、矩形領域が表示手段の画面に適確に表示される。また、スクロール操作を必要とせず、矩形領域を速やかに表示することができる。
【図面の簡単な説明】
【図１】本発明の画像表示装置の一実施形態を適用した情報端末を示すブロック図である。
【図２】図１の情報端末の外観を示す平面図である。
【図３】本実施形態の画像表示装置における画面に表示される画像を例示する図である。
【図４】本実施形態の画像表示装置における画面に表示された画像の矩形領域の表示位置を示す図である。
【図５】本実施形態の画像表示装置による処理過程を示すフローチャートである。
【図６】本実施形態の画像表示装置における画面に表示された矩形領域の他の表示位置を示す図である。
【図７】本実施形態の画像表示装置における画面に表示された矩形領域の他の例を示す図である。
【図８】画像の各矩形領域を表示するときの遷移順序の一例を示す図である。
【図９】画像の各矩形領域を表示するときの遷移順序の他の例を示す図である。
【図１０】本実施形態の画像表示装置における画面に表示された矩形領域の別の例を示す図である。
【図１１】本実施形態の画像表示装置における画面に表示された矩形領域の表示位置を示す図である。
【図１２】本実施形態の画像表示装置における画面に表示された矩形領域の他の表示位置を示す図である。
【図１３】本実施形態の画像表示装置における画面に表示された矩形領域の別の表示位置を示す図である。
【図１４】本実施形態の画像表示装置における画面に表示された矩形領域の更に他の表示位置を示す図である。
【図１５】本実施形態の画像表示装置における画面に表示された矩形領域の更に別の表示位置を示す図である。
【図１６】図１５の矩形領域の表示内容の具体例を示す図である。
【符号の説明】
１０    情報端末
１１    通信機能部
１２    記憶部
１３    データ読出部
１４    データ解析部
１５    表示部
１６    キー入力部
１７    キー検出部
１８    制御部
２１    画像
２２〜２５    矩形領域
２４ａ，２４ｂ，２５ａ，２５ｂ，２５ｃ，２５ｄ    小矩形領域
【図１】
2004233435.tif 000003
【図２】
2004233435.tif 000004
【図３】
2004233435.tif 000005
【図４】
2004233435.tif 000006
【図５】
2004233435.tif 000007
【図６】
2004233435.tif 000008
【図７】
2004233435.tif 000009
【図８】
2004233435.tif 000010
【図９】
2004233435.tif 000011
【図１０】
2004233435.tif 000012
【図１１】
2004233435.tif 000013
【図１２】
2004233435.tif 000014
【図１３】
2004233435.tif 000015
【図１４】
2004233435.tif 000016
【図１５】
2004233435.tif 000017
【図１６】
2004233435.tif 000018